(57)【要約】【課題】重心が偏心せず、文字等の表示を隠すことなく貼り付け可能とする。【解決手段】平面視して直線状とされる最上端形状Ｔ７と、最上端から下側に向けて前後方向に拡大する形状を有する容器Ｔに対して、最上端より上側に突出するように貼り付けて、該容器を吊り下げ可能とする吊り下げラベル１０であって、上端側に設けられた吊り下げ部１１と、下端側に設けられ容器後表面Ｔ９に貼り付ける貼り付け部１２と、吊り下げ部と貼り付け部との間に複数の上端部１３ａが位置する切り込み１３によってラベル主面より前面側に曲げ変形可能として設けられた係止片部１５と、を有する。【選択図】図１
2016188980.tif 000002
【特許請求の範囲】
【請求項１】
平面視して直線状とされる最上端形状と、前記最上端から下側に向けて前後方向に拡大する形状を有する容器に対して、前記最上端より上側に突出するように貼り付けて、該容器を吊り下げ可能とする吊り下げラベルであって、
上端側に設けられた吊り下げ部と、
下端側に設けられ前記容器後表面に貼り付ける貼り付け部と、
前記吊り下げ部と前記貼り付け部との間に上端部が位置する切り込みによってラベル主面より前面側に曲げ変形可能として設けられた係止片部と、
を有し、
前記容器最上端付近に前記切り込み上端部を位置した状態で、前記容器後側に、前記貼り付け部を貼り付け、前記係止片部を前記容器前側に曲げ変形させることで、前記吊り下げ部により前記容器が偏心しない状態で吊り下げ可能とされていることを特徴とする吊り下げラベル。
【請求項２】
前記貼り付け部前面の貼り付け領域が前記係止片部と接することなく設けられることを特徴とする請求項１記載の吊り下げラベル。
【請求項３】
隣接する前記切り込みの下端側が互いに接続されていることを特徴とする請求項１または２記載の吊り下げラベル。
【請求項４】
前記切り込みの上端部が上下方向で略同じ位置に設けられていることを特徴とする請求項１から３のいずれか記載の吊り下げラベル。
【請求項５】
前記係止片部が、横方向に複数設けられていることを特徴とする請求項１から４のいずれか記載の吊り下げラベル。
【請求項６】
前記吊り下げ部には、吊り下げ用の孔が貫通されていることを特徴とする請求項１から５のいずれか記載の吊り下げラベル。
【請求項７】
前記容器が、チューブ型とされることを特徴とする請求項１から６のいずれか記載の吊り下げラベル。
【発明の詳細な説明】
【技術分野】
【０００１】
本発明は吊り下げラベルに関し、特に容器上端に貼り付けてアイキャッチとするとともに吊り下げ陳列を可能とする吊り下げラベルに用いて好適な技術に関する。
【背景技術】
【０００２】
従来、上側に吊り下げ用の穴を設け、容器に貼着して陳列フック等に穴を通して吊り下げる陳列を可能としたラベルは公知であり、マニキュア、ハンドクリームなどの化粧料、あるいは、歯磨きペーストなどを内容物とするキャップの着いた容器、または、ラミネートチューブなどの容器等、比較的小型で軽量の商品に多く用いられている。
【０００３】
しかし、このような容器で、吊り下げ用のラベルを貼り付けると、重心に対して、偏心した状態でラベルが貼り付けられるため、吊り下げた容器が傾いてしまい、吊り下げ陳列としては好ましくない。この問題を解決するため、特許文献１，２に記載されるような技術が知られている。
このようなラベルを用いて、吊り下げ陳列をおこなう際には、ラベル下側と上側の２カ所を容器およびキャップ等に貼り付けるものである。
【先行技術文献】
【特許文献】
【０００４】
【特許文献１】特開２００２−１８９４１４号公報
【特許文献２】特許第３０２３３２５号公報
【特許文献３】実用新案登録第３１７８６８３号公報
【発明の概要】
【発明が解決しようとする課題】
【０００５】
ここで、特許文献３に示したようなハンドクリームなどの化粧料や歯磨きペーストなどを内容物とするラミネートチューブなどの容器を、キャップを下側にして吊り下げ陳列しようとした場合には、端部のシール部の表裏面にそれぞれラベルの部分を貼り付ける必要がある。
【０００６】
しかし、例えばハンドクリームなどの化粧料の容器であると、もともとの容器表面のデザインが陳列時に重視されるため、貼り付けたラベルにより見えなくなる部分があるという問題があった。たとえ、透明なラベルを用いたとしても、ラベル貼り付け部分のデザインまたは文字等が滲んでしまう、あるいは、文字やデザインの視認色が変化してしまうためこれを回避したいという問題があった。
【０００７】
また、この問題を解決しようとして、ラベルを貼り付ける面積を小さくすると、ラベルが剥がれやすくなるという問題がある。さらに、ラベルをデザイン面には貼らないようにして片面のみにラベルを貼り付けた場合には、上述した重心が偏心して容器商品が傾いてしまうという問題が発生することになる。
【０００８】
さらに、重心が偏心して容器商品が傾いた状態として吊り下げた場合には、ラベルを斜めに容器から剥がすように剥離力が作用し、ラベルが容器から剥がれやすくなってしまうという問題もあった。
【０００９】
同時に、吊り下げ展示用に用いるラベルを、容器を立てて棚等に載置した状態で展示する際に、アイキャッチとして用いることを可能にしたいという要求もあった。また、購買者が商品を開封する際には廃棄する部分であるところから、商品開封に影響を与えず、また、安価に製造したいという要求もあった。
【００１０】
本発明は、上記の事情に鑑みてなされたもので、以下の目的を達成しようとするものである。
１．    吊り下げラベルにおいて、重心の偏心状態が発生することなく陳列を可能とすること。
２．    貼り付けた際、容器表面のデザイン、文字等にラベルがかかってしまうことを防止すること。
３．    ラベルが剥がれやすくなることを防止すること。
【課題を解決するための手段】
【００１１】
本発明の吊り下げラベルは、平面視して直線状とされる最上端形状と、前記最上端から下側に向けて前後方向に拡大する形状を有する容器に対して、前記最上端より上側に突出するように貼り付けて、該容器を吊り下げ可能とする吊り下げラベルであって、
上端側に設けられた吊り下げ部と、
下端側に設けられ前記容器後表面に貼り付ける貼り付け部と、
前記吊り下げ部と前記貼り付け部との間に上端部が位置する切り込みによってラベル主面より前面側に曲げ変形可能として設けられた係止片部と、
を有し、
前記容器最上端付近に前記切り込み上端部を位置した状態で、前記容器後側に、前記貼り付け部を貼り付け、前記係止片部を前記容器前側に曲げ変形させることで、前記吊り下げ部により前記容器が偏心しない状態で吊り下げ可能とされていることにより上記課題を解決した。
本発明において、前記貼り付け部前面の貼り付け領域が前記係止片部と接することなく設けられることがより好ましい。
本発明の吊り下げラベルには、隣接する前記切り込みの下端側が互いに接続されていることが可能である。
また、本発明において、前記切り込みの上端部が上下方向で略同じ位置に設けられている手段を採用することもできる。
また、前記係止片部が、横方向に複数設けられていることができる。
また、前記吊り下げ部には、吊り下げ用の孔が貫通されていることが好ましい。
本発明においては、前記容器が、チューブ型とされることができる。
【００１２】
本発明の吊り下げラベルは、平面視して直線状とされる最上端形状と、前記最上端から下側に向けて前後方向に拡大する形状を有する容器に対して、前記最上端より上側に突出するように貼り付けて、該容器を吊り下げ可能とする吊り下げラベルであって、
上端側に設けられた吊り下げ部と、
下端側に設けられ前記容器後表面に貼り付ける貼り付け部と、
前記吊り下げ部と前記貼り付け部との間に上端部が位置する切り込みによってラベル主面より前面側に曲げ変形可能として設けられた係止片部と、
を有し、
前記容器最上端付近に前記切り込み上端部を位置した状態で、前記容器後側に、前記貼り付け部を貼り付け、前記係止片部を前記容器前側に曲げ変形させることで、前記吊り下げ部により前記容器が偏心しない状態で吊り下げ可能とされていることにより、係止片部と貼り付け部とで吊り下げた商品（容器）を挟んで陳列が可能なため、商品（容器）が傾かず、ラベルが商品から離れる力が加わらないようにしてラベルを剥がれにくくすることができる。同時に、切り込みよりも上側の領域をアイキャッチとして、アイキャッチ部分を広くとることが可能となる。
【００１３】
本発明において、前記貼り付け部前面の貼り付け領域が前記係止片部と接することなく設けられるとともに、前記係止片部の前側面には貼り付け領域が設けられていないことで、貼り付け部とされる糊塗布などが、片面のみであるので、工程数を増加させることなく、安価に製造することが可能となる。また、係止片部に貼り付け領域の糊などが付着してしまうことを防止できる。
【００１４】
本発明の吊り下げラベルには、隣接する前記切り込みの下端側が互いに接続されていることにより、前記係止片部が貼り付け部よりも上側に位置し、ラベルが容器最上端で容易に固定することを可能にできる。
【００１５】
また、本発明において、前記切り込みの上端部が上下方向で略同じ位置に設けられていることにより、容器最上端を水平に保持して、吊り下げ陳列を可能とすることができる。
【００１６】
また、前記係止片部が、横方向に複数設けられていることにより、横方向に大きな寸法を有する容器（商品）であっても、容器最上端に複数の係止片部を係止することで、容易に吊り下げ展示を安定的に可能とすることができる。
【００１７】
また、前記吊り下げ部には、吊り下げ用の孔が貫通されていることで、吊り下げ用の孔を展示フック等に掛けることで、吊り下げ陳列をおこなうことができる。
【００１８】
本発明においては、前記容器が、チューブ型とされることができる。
【発明の効果】
【００１９】
本発明の吊り下げラベルによれば、容器最上端に係止片部を係止するだけで重心が偏心した状態にならずに安定して吊り下げ展示をおこなうことを可能として、ラベルが容器の表面のデザイン・文字等にかかることなくラベルの剥がれ発生を防止することができるという効果を奏することが可能となる。
【図面の簡単な説明】
【００２０】
【図１】本発明に係る吊り下げラベルの第１実施形態を示す正面図である。
【図２】本発明に係る吊り下げラベルの第１実施形態を貼り付けるラミネートチューブ容器を示す模式図である。
【図３】本発明に係る吊り下げラベルの第１実施形態における係止状態の前側を示す斜視図である。
【図４】本発明に係る吊り下げラベルの第１実施形態における係止状態の後側を示す拡大斜視図である。
【図５】本発明に係る吊り下げラベルの第１実施形態における係止状態の後側を示す斜視図である。
【図６】本発明に係る吊り下げラベルの第２実施形態を示す正面図である。
【図７】本発明に係る吊り下げラベルの第３実施形態を示す正面図である。
【図８】本発明に係る吊り下げラベルの第４実施形態を示す正面図である。
【発明を実施するための形態】
【００２１】
以下、本発明に係る吊り下げラベルの第１実施形態を、図面に基づいて説明する。
図１は、本実施形態における吊り下げラベルを示す正面図であり、図２は、本実施形態における吊り下げラベルを貼り付ける容器を示す模式図であり、図において、符号１０は、吊り下げラベルである。
【００２２】
本実施形態に係る吊り下げラベルは、図１に示すように、薬剤や歯磨（練り歯磨き粉）や研磨剤（コンパウンド）や絵具などの内容物を格納する筒型の容器に対して、貼り付け可能とされている。容器の例としては、例えば、図２に示すように、ラミネートチューブ容器（容器）Ｔを挙げることができる。
【００２３】
容器Ｔは、図２に示すように、筒状胴部Ｔ１と、インジェクション成形、またはコンプレッション成形された肩部Ｔ３および口部Ｔ４からなる頭部Ｔ２と、キャップＴ６から形成されている。筒状胴部Ｔ１の一方の開口部に肩部Ｔ３を挿入し、熱接着して一体化させる。その後、キャップＴ６を口部Ｔ４に螺合または係合する。キャップＴ６を螺合または係合した筒状胴部Ｔ１の他方の開口部は、内容物を充填するための開口部である。ラミネートチューブ容器（容器）Ｔは、筒状胴部Ｔ１の他方の開口部より内容物を適量分だけ充填し、開口部の端部を熱接着して直線状の端部Ｔ７とし、内容物を密封する。
【００２４】
ラミネートチューブ容器（容器）Ｔは、図２〜図５に示すように、平面視して直線状とされる最上端Ｔ７形状と、最上端Ｔ７から下側に向けて前後方向に拡大する形状となる筒状胴部Ｔ１を有するように、立状態で展示陳列される。また、立状態での展示陳列に対応するように、筒状胴部Ｔ１の前面Ｔ８および後面Ｔ９には、文字、デザイン、等が視認性よく形成されている。前面Ｔ８および後面Ｔ９は、最上端Ｔ７の前後両側の表面として位置される。また、図示していないが、容器Ｔはシュリンクフィルムによって筒状胴部Ｔ１の全体が覆われていることも可能である。
【００２５】
本実施形態に係る吊り下げラベル１０は、図１に示すように、上端１Ｕ側に設けられた吊り下げ部１１と、下端１Ｄ側に設けられ容器Ｔ後面（後表面）Ｔ９に貼り付ける貼り付け部１２と、吊り下げ部１１と貼り付け部１２との間に複数の上端部１３ａ，１３ａが位置する切り込み１３によってラベル主面１４より前面側に曲げ変形可能として設けられた係止片部１５と、係止片部１５の左右方向両外側に吊り下げ部１１と貼り付け部１２とを連結するブリッジ部１６，１６と、を有する。
【００２６】
吊り下げラベル１０は、例えば、ＰＥＴ（ポリエチレンテレフタレート）からなる枚葉の透明シートとされることができる。
また、吊り下げラベル１０が、ＰＥＴからなる場合、その厚さは、０．１ｍｍ〜０．５ｍｍ程度に設定され、後述するようにアイキャッチとして、自立可能な範囲とされることが好ましい。
【００２７】
吊り下げ部１１には、図１に示すように、その上部中央に吊り下げ用の孔１１ａが貫通されている。孔１１ａは、その輪郭の一部が外側と連続して蓋のようになっており、吊り下げに使わない場合には、貫通孔１１ａを閉塞して吊り下げ部１１のデザインを損なわないようになっている。吊り下げ部１１には、また、ラベル主面１４となるその表面に文字、デザイン、絵柄等が印刷されてアイキャッチ１１ｂとされている。これらの印刷は、ラベル主面１４の前面に設けることもできるし、後面に設けることもできる。吊り下げ部１１の輪郭形状は、アイキャッチとしてのデザインによって規定され、任意の形状とすることができる。
【００２８】
貼り付け部１２には、図１に示すように、ラベル主面１４となるその前面に貼り付け領域１２ａが設けられる。
貼り付け部１２は、吊り下げラベル１０の下端１Ｄ側の左右方向全幅に設けられ、その下側輪郭は吊り下げラベル１０の輪郭形状に対応して形成され、その上側輪郭は略水平状態の直線上とされて、最上端Ｔ７の形状に対応している。
貼り付け領域１２ａは、容器Ｔを吊り下げた際に、剥離しないように充分な粘着力を有することが望ましく、例えば両面テープを貼り付けたものとすることや、容器Ｔの表面材質あるいは、シュリンクフィルムなどとの接着性を鑑みて、接着剤を塗布形成した貼り付け層とすることも可能である。
【００２９】
貼り付け部１２に隣接するラベル主面１４の上側には、図１に示すように、貼り付け領域１２ａと係止片部１５とが上下方向に離間するように、上下方向に所定の幅（間隔）を有する非貼り付け部１７が設けられている。非貼り付け部１７を設けたことにより、後述するように係止片部１５を最上端Ｔ７に係止する際に、必要なブリッジ部１６の曲げ変形を可能とすることができる。
同時に、吊り下げラベル１０に貼り付け領域１２ａを設ける際の寸法精度を適度な範囲に収めることができ、製造コストが増大してしまうことを防止できる。
【００３０】
切り込み１３は、図１に示すように、複数の上端部１３ａ，１３ａが上下方向で略同じ位置となるように、水平方向に延在する直線１３ｂ上に設けられる。また、切り込み１３の下端側は互いに連結されて左右方向中央付近が最下端となる略円弧状をなすように形成されている。これにより、切り込み１３が係止片部１５の下端側の輪郭線となっており、上端部１３ａ，１３ａとを結んだ直線である変形線（直線）１３ｂが係止片部１５の上端側の輪郭線となっている。
【００３１】
係止片部１５は、図１に示すように、その上下方向寸法が最上端Ｔ７となる熱接着した部分の上下寸法と同等か、これよりやや大きくなるように設定されている。ここで、係止片部１５が最上端Ｔ７となる熱接着した部分を大きく超えて下側に延在すると、係止片部１５を最上端Ｔ７に係止した際に、容器Ｔの前面Ｔ８のデザインあるいは、文字等にかかってしまう可能性があるため好ましくない。また、係止片部１５が最上端Ｔ７となる熱接着した部分の上下方向寸法よりも極めて小さいと、係止片部１５を最上端Ｔ７に係止した際に、充分に吊り下げラベル１０を係止させることができないため好ましくない。
【００３２】
係止片部１５は、図１に示すように、その下側輪郭が、略円弧状とされて、左右方向中央位置が最も下側に位置する形状とされているが、この形状に限るものではないが、切り込み１３の上端部１３ａ付近は上下方向に沿って形成されていることが必要である。
また、係止片部１５にも、吊り下げ部１１のラベル主面１４と同様に、デザイン、文字等を印刷することができる。これらの印刷に際しては、透明なシートに対して、白地の下地層を印刷する事なども可能である。
【００３３】
また、係止片部１５にも貼り付け領域は設けない。これは、もし、係止片部１５に貼り付け領域を設ける場合には、後面側に設けることになるが、ラベル主面１４の前面と後面とにそれぞれ異なる領域として貼り付け領域を設けることは、糊殺し剤の塗布、あるいは、剥離紙等の貼り付けが必要であり、作業工程数も増え、コスト増が避けられないからである。
【００３４】
ブリッジ部１６は、図１に示すように、係止片部１５の左右方向両外側位置とされ、上下方向に延在して、吊り下げ部１１と貼り付け部１２とを連結する。ブリッジ部１６と係止片部１５とが隣接する切り込み１３の上端部１３ａ付近は、切り込み１３が上下方向に延在して、ブリッジ部１６と係止片部１５とによって最上端Ｔ７を挟み込むようになっている。ブリッジ部１６と係止片部１５との境界となる輪郭形状は、切り込み１３として一致している。
なお、図１ではブリッジ部１６と係止片部１５とを切り込み１３の一本で切り分けて形成しているが、特にこれに限ったことではなくブリッジ部１６形成用の切り込みと係止片部１６形成用の切り込みを別個に設けることも可能である。具体的には、ブリッジ部１６と係止片部１５との境界の下側は、一致しない輪郭としてブリッジ部１６と係止片部１５との間に隙間が形成されていてもよい。このような例としては、切り込み１３を図１に示す例に比べて幅広にすることや、図１に示す円弧状とされる係止片部１５の輪郭に対して、ブリッジ部１６が左右方向幅寸法が均一とされた上下方向に直線状の輪郭形状として略三角形の隙間を有するものとすることもできる。
【００３５】
また、ブリッジ部１６にも貼り付け領域は設けない。これは、上下方向ではほぼ重なるブリッジ部１６と係止片部１５とにおいて、ブリッジ部１６のみに貼り付け領域を設けて、係止片部１５に貼り付け領域を設けないことは、糊殺し剤の塗布、あるいは、剥離紙等の貼り付けが必要であり、作業工程数も増え、コスト増が避けられないからである。
【００３６】
図３は、本実施形態における吊り下げラベルの貼り付け係止状態の前側を示す斜視図であり、図４は、本実施形態における吊り下げラベルの貼り付け係止状態の後側を示す拡大斜視図であり、図５は、本実施形態における吊り下げラベルの貼り付け係止状態の後側を示す斜視図である。
本実施形態における吊り下げラベル１０は、図３〜図５に示すように、立状態とされる容器Ｔに対して、最上端Ｔ７より上側に突出するように貼り付け部１２によって貼り付けて、容器Ｔを吊り下げ陳列可能とするとともに、立状態で載置展示された容器Ｔに対して、吊り下げラベル１０が自立した状態を維持できるため、ＰＯＰラベルとしてのアイキャッチ効果を呈するものである。
【００３７】
この際、図３〜図５に示すように、容器Ｔの最上端Ｔ７付近に切り込み１３の複数の上端部１３ａ，１３ａを位置した状態で、貼り付け部１２を、筒状胴部Ｔ１の後面Ｔ９に貼り付ける。また、係止片部１５が最上端Ｔ７の前側に位置するように、ブリッジ部１６，１６および係止片部１５を変形線１３ｂ付近から曲げ変形させる。これにより、吊り下げラベル１０のラベル主面１４が、図３〜図５に示すように、最上端Ｔ７を垂直上側に延長したように、容器Ｔの中心鉛直上方に安定して位置することになり、吊り下げ部１１により容器Ｔを偏心しない状態で吊り下げ可能とすることができる。
【００３８】
本実施形態における吊り下げラベル１０において、図３〜図５に示すように、容器Ｔの中心垂直上方に安定して位置する状態で容器Ｔを吊り下げられることにより、吊り下げた商品（容器）Ｔから吊り下げラベル１０が剥がれる方向に力がかからないため、吊り下げラベル１０を剥がれにくくすることができる。
同時に、吊り下げ部１１および係止片部１５にアイキャッチ１１ｂを設けることで、吊り下げラベル１０におけるアイキャッチ部分を広くとることができる。
【００３９】
図３〜図５に示すように、吊り下げラベル１０に設けた切り込み１３の両側に位置するブリッジ部１６と係止片部１５とで容器Ｔの最上端Ｔ７を挟持するとともに、係止片部１５と貼り付け部１２とで容器Ｔを係止した状態で、吊り下げた商品（容器）Ｔを挟み、商品Ｔを安定させ、吊り下げラベル１０が商品（容器）Ｔから離れる力が加わらないようにして剥がれやすくなるのを防ぐことができる。
【００４０】
本実施形態における吊り下げラベル１０を製造するためには、ＰＥＴからなる長尺のシートに、各吊り下げラベル１０となる吊り下げ部１１のアイキャッチに対応するデザイン等の印刷を前面から正像として所定ピッチとなるように離間して複数連続印刷する。そして、各吊り下げラベル１０輪郭形状となるようにシートを打ち抜くと同時に、吊り下げ部１１の上側位置に吊り下げ用となる例えば円形の孔１１ａを設け、また、切り込み１３を形成する。
そして、吊り下げラベル１０の前面から両面粘着テープを貼り付けて貼り付け部１２とする。
【００４１】
本実施形態における吊り下げラベル１０においては、図３〜図５に示すように、両面テープの粘着領域（貼り付け領域）１２ａと、アイキャッチ印刷領域（吊り下げ部）１１との間に粘着領域１２ａに向けて凸状となる係止片部１５を形成するように切り込み１３を形成したことにより、傾かない吊り下げ用途に加えアイキャッチ効果を含んだ仕様とすることができる。
【００４２】
これにより、チューブ商品Ｔの前面Ｔ８に商品名等の見せたい表示がある場合でも、この商品名等の上に吊り下げラベル１０がかからないように貼り付けることができ、商品名等のデザイン上から透明なラベルを貼り付けた場合に発生する、形が滲む、色が変わるといった不具合の発生を防止できる。また、商品名等にかからないように吊り下げラベル１０を貼り付けた場合に貼り付け領域の面積が不足してしまい、吊り下げラベル１０が剥がれやすくなり、外れてしまうという不具合の発生を防止できる。
【００４３】
同時に、商品Ｔの裏面に貼り付け部１２を貼り付けることで容器Tの重心が偏心状態となって吊り下げ状態の商品Ｔが傾くという不具合の発生を防止できる。
商品名等にかからないように係止片部１５で最上端Ｔ７を係止することで、吊り下げ状態の商品Ｔにおいてバランスが取れ、商品名等にかからないようにして吊り下げ状態の商品Ｔに揺れが発生しない。
【００４４】
また、容器Ｔの後面Ｔ９に貼り付け部１２を貼り付ける工程は自動化することができるが、商品名等にかからないように係止片部１５で最上端Ｔ７を係止する際に、係止片部１５を最上端Ｔ７の前に出すのは作業員がおこなうこととし、その際の作業時間を短縮することができる。
【００４５】
本実施形態における吊り下げラベル１０のように、片面側のみに糊が設けられていることで商品購入後に包装を外すときに分離しやすい。特に、係止片部１５の後面に接着する領域が設けられていると、吊り下げラベル１０を剥がしにくくなる。これにより、吊り下げラベル１０を廃棄する際に容易に捨てることができる。
【００４６】
以下、本発明に係る吊り下げラベルの第２実施形態を、図面に基づいて説明する。
図６は、本実施形態における吊り下げラベルを示す正面図であり、本実施形態において、上述した第１実施形態と異なるのは、複数の係止片部に関する点であり、これ以外の上述した第１実施形態と対応する構成には同一の符号を付してその説明を省略する。
【００４７】
本実施形態における吊り下げラベル１０Ａは、図６に示すように、係止片部１５Ａ，１５Ｂが、左右方向に複数設けられている。係止片部１５Ａ，１５Ｂは、上述した第１実施形態における係止片部１５とほぼ相似となる輪郭形状を有するものとされる。
【００４８】
係止片部１５Ａ，１５Ｂは、いずれも切り込み１３Ａ，１３Ｂと変形線１３Ａｂ，１３Ｂｂによって、その輪郭が形成されており、これら係止片部１５Ａの左右位置および係止片部１５Ｂの左右位置には、いずれもブリッジ部１６，１６，１６が設けられている。複数の切り込み１３Ａ，１３Ｂの上端部１３ａは、いずれも同一の直線として変形線１３Ａｂ，１３Ｂｂを形成する同一の直線上に配置されている。また、係止片部１５Ａ，１５Ｂの下側には、非貼り付け部１７Ａ，１７Ｂがそれぞれ位置している。
【００４９】
本実施形態における吊り下げラベル１０Ａにおいても、係止片部１５Ａ，１５Ｂをいずれも容器Ｔにおける最上端Ｔ７の前側に差し込んで、係止片部１５Ａ，１５Ｂと貼り付け部１２とによって、最上端Ｔ７を挟み込んで係止することで、吊り下げ部１１により容器Ｔを偏心しない状態で吊り下げ可能とすることができる。
【００５０】
本実施形態における吊り下げラベル１０Ａは、係止片部１５Ａ，１５Ｂが、横方向に複数設けられていることにより、図２に示すチューブ状の容器ではなく、さらに横長の容器に適応しても、安定して、吊り下げることが可能となる。
【００５１】
以下、本発明に係る吊り下げラベルの第３実施形態を、図面に基づいて説明する。
図７は、本実施形態における吊り下げラベルを示す正面図であり、本実施形態において、上述した第１、第２実施形態と異なるのは、複数の切り込み形状に関する点であり、これ以外の上述した第１、第２実施形態と対応する構成には同一の符号を付してその説明を省略する。
【００５２】
本実施形態における吊り下げラベル１０Ｂは、図７に示すように、上下方向に延在する直線状とされる切り込み１３Ｃ，１３Ｄが、上下方向に連続するように設けられ、切り込み１３Ｃ，１３Ｄが、吊り下げラベル１０Ｂの下端まで到達しており、貼り付け部１２Ａ，１２Ｂが左右に分断されている。係止片部１５Ｃの下端は左右方向の直線状とされているが、この限りではなく、下に凸となるように輪郭形状を設定してもよい。
【００５３】
この状態でも、上下方向に、係止片部１５Ｃと貼り付け領域１２ａとは離間しており、非貼り付け部１７Ｃ，１７Ｄが設けられている。
本実施形態における吊り下げラベル１０Ｂにおいても、切り込み１３Ｃ，１３Ｄを容器Ｔの最上端Ｔ７の両側に差し込んで位置するように係止片部１５Ｃと貼り付け部１２Ａ，１２Ｂとによって、最上端Ｔ７を係止して、吊り下げ部１１により容器Ｔを偏心しない状態で吊り下げ可能とすることができる。これにより、ラベル貼り付けによって隠れてしまう領域をさらに削減することが可能となる。
【００５４】
以下、本発明に係る吊り下げラベルの第４実施形態を、図面に基づいて説明する。
図８は、本実施形態における吊り下げラベルを示す正面図であり、本実施形態において、上述した第１〜第３実施形態と異なるのは、複数の切り込み形状に関する点であり、これ以外の上述した第１〜第３実施形態と対応する構成には同一の符号を付してその説明を省略する。
【００５５】
本実施形態における吊り下げラベル１０Ｃは、図８に示すように、切り込み１３Ｅ，１３Ｆにおける下端が左右方向に屈曲してラベル輪郭外側に接続するように設けられて、係止片部１５Ｄ，１５Ｅが左右にしかも分離して設けられている。これら係止片部１５Ｄ，１５Ｅで挟まれた左右方向中央位置には、いずれもブリッジ部１６が設けられている。
【００５６】
本実施形態における吊り下げラベル１０Ｃにおいても、切り込み１３Ｅ，１３Ｆを容器Ｔの最上端Ｔ７の両側に差し込んで位置するように係止片部１５Ｄ，１５Ｅと貼り付け部１２とによって、最上端Ｔ７を係止して、吊り下げ部１１により容器Ｔを偏心しない状態で吊り下げ可能とすることができる。
【符号の説明】
【００５７】
１０，１０Ａ，１０Ｂ，１０Ｃ…吊り下げラベル
１１…吊り下げ部
１１ａ…孔
１１ｂ…アイキャッチ
１２、１２Ａ，１２Ｂ…貼り付け部
１２ａ…貼り付け領域
１３、１３Ａ，１３Ｂ，１３Ｃ，１３Ｄ，１３Ｅ，１３Ｆ…切り込み
１３ａ…上端部
１３ｂ…変形線
１４…ラベル主面
１５，１５Ａ，１５Ｂ，１５Ｃ，１５Ｄ，１５Ｅ…係止片部
１６…ブリッジ部
１７…非貼り付け部
１Ｕ…上端
１Ｄ…下端
Ｔ…ラミネートチューブ容器（容器、商品）
Ｔ１…筒状胴部
Ｔ２…頭部
Ｔ３…肩部
Ｔ４…口部
Ｔ６…キャップ
Ｔ７…最上端
Ｔ８…前面
Ｔ９…後面
【図１】
2016188980.tif 000003
【図２】
2016188980.tif 000004
【図３】
2016188980.tif 000005
【図４】
2016188980.tif 000006
【図５】
2016188980.tif 000007
【図６】
2016188980.tif 000008
【図７】
2016188980.tif 000009
【図８】
2016188980.tif 000010